(57)【要約】【課題】鉄筋コンクリートの床や壁等の鉄筋として有用な軽量で簡単な構造の間隔保持金具を提供する。【解決手段】一本の鉄筋の上に複数の逆三角形状部２ａを等間隔に有するトラス状体２を一筆書き状に形成し、２組の前記トラス状体２を各逆三角形状部２ａの上辺２ａｃにおいて相互に少許の重なりを有して当接させて逆Ｖ字形の立体トラス状に形成すると共に該立体トラスを構成する各トラス状体２、２の互いに当接する部分及び交叉する部分を溶接により結着して間隔保持金具１を形成した。【選択図】　　　　図１
2004036292.tif 000002
【特許請求の範囲】
【請求項１】
一本の鉄筋の要部を折り曲げて、複数の多角形状部を該鉄筋の途中に等間隔に且つ同一平面上となるように配置すると共にこれら多角形状部が下端部において順次つながった一筆書き状を有するトラス状体に形成し、複数組の前記トラス状体の各多角形状部の上辺が相互に重なりを有して互いに当接すると共にこれら複数組のトラス状体の下方部は間隔を有するように広げて配置し、前記各多角形状部の鉄筋の互いに当接する部分及び交叉する部分を溶接により結着させて形成した鉄筋コンクリート製仕切部材用間隔保持金具。
【請求項２】
前記間隔保持金具は２組の前記トラス状体で構成され、これら２組のトラス状体が逆Ｖ字形を形成するように配置した請求項１に記載の鉄筋コンクリート製仕切部材用間隔保持金具。
【請求項３】
前記多角形状部は、２等辺三角形を倒立させた形状の逆三角形状部からなる請求項１又は請求項２に記載の鉄筋コンクリート製仕切部材用間隔保持金具。
【請求項４】
前記多角形状部は、四辺形状部からなる請求項１又は請求項２に記載の鉄筋コンクリート製仕切部材用間隔保持金具。
【請求項５】
前記逆三角形状部は、該逆三角形状部を形成する左右の辺の下端部が互いに交叉する構造に形成されている請求項３に記載の鉄筋コンクリート製仕切部材用間隔保持金具。
【請求項６】
前記トラス状体は前記逆三角形状部の複数個を該逆三角形状部の上辺の長さの約１．４倍のピッチで等間隔に配置して有しており、こうして形成した前記トラス状体の２組を、前記逆三角形状部の上辺の長さの約０．７倍分の前後のずれを有して配置すると共にこれら２組のトラス状体の各逆三角形状部の上辺の互いに重なり合う部分を当接させて逆Ｖ字状に配置して、前記上辺の互いに重なり合う当接部分の長さが該上辺の長さの約０．３倍となるように形成した請求項２又は請求項３又は請求項５に記載の鉄筋コンクリート製仕切部材用間隔保持金具。
【請求項７】
前記トラス状体は前記逆三角形状部の複数個を該逆三角形上部の上辺の長さのピッチで等間隔に配置して有しており、こうして形成した前記トラス状体の２組を、上辺部を互いに当接させて逆Ｖ字状に配置して形成した請求項２又は請求項３又は請求項５に記載の鉄筋コンクリート製仕切部材用間隔保持金具。
【発明の詳細な説明】
【０００１】
【発明の属する技術分野】
本発明は鉄骨鉄筋構造の床や壁等のスペーサ筋として有用な間隔保持金具に関する。
【０００２】
【従来の技術】
鉄骨鉄筋構造の床を作る場合は、図６に示す如く、薄い鉄板を折り曲げて作ったデッキプレートａを敷きつめてその上に立体トラス状の間隔保持金具ｂを配置し、更に該間隔保持金具ｂの上に網状のメッシュ筋ｃを配置して、その上からコンクリートｄを打設して鉄筋コンクリート床を形成している。このとき間隔保持金具ｂはメッシュ筋ｃを平らに保つ上で重要な役割りを有している。
【０００３】
従来の間隔保持金具の構造の一例を図７に示した。
【０００４】
即ち従来の間隔保持金具ｂは、連続した山形に屈折させて形成した２本の鉄筋ｂ１、ｂ２の各山の頂部を直線状の鉄筋ｂ３に左右から結着させてこれら左右の鉄筋ｂ１、ｂ２が逆Ｖ字形に開いた配置となるように形成し、更にこれら左右の鉄筋ｂ１、ｂ２の各裾部の外側にそれぞれ直線状の鉄筋ｂ４又はｂ５を結着させて左右のトラスを形成し、全体として立体トラス状に形成されるようにしている。
【０００５】
尚、各鉄筋の交点は、溶接により互いに強固に結着されている。
【０００６】
【発明が解決しようとする課題】
鉄筋コンクリート構造物の建造に当って、鉄筋の製作コストの低減や鉄筋の軽量化は常に重要なテーマとなっている。
【０００７】
図７に示した従来の間隔保持金具ｂは、連続した山形に屈折させた２本の鉄筋ｂ１、ｂ２と、直線状の３本の鉄筋ｂ３、ｂ４、ｂ５の計５本の鉄筋を用いて形成されており、このため該間隔保持金具ｂは製造が煩雑でその重量も重くなるという問題があった。
【０００８】
本発明は上記の問題点を解消し、製造が簡単でしかも重量が軽くなるような間隔保持金具を提供することを目的とする。
【０００９】
【課題を解決するための手段】
本発明は上記の目的を達成すべく、一本の鉄筋の要部を折り曲げて、複数の多角形状部を該鉄筋の途中に等間隔に且つ同一平面上となるように配置すると共にこれら多角形状部が下端部において順次つながった一筆書き状を有するトラス状体に形成し、複数組の前記トラス状体の各多角形状部の上辺が相互に重なりを有して互いに当接すると共にこれら複数組のトラス状体の下方部は間隔を有するように広げて配置し、前記各多角形状部の鉄筋の互いに当接する部分及び交叉する部分を溶接により結着させて間隔保持金具を形成したことを特徴とする。
【００１０】
【発明の実施の形態】
本発明の第１の実施の形態を図１乃至図３により説明する。
【００１１】
図１は本発明の鉄筋コンクリート製仕切部材用間隔保持金具１の斜視図を示し、該間隔保持金具１は左右１対のトラス状体２、２の上部を互いに当接させて逆Ｖ字状に配置すると共に要部を溶接により結着して形成されている。
【００１２】
図２に前記トラス状体２の平面図を示した。
【００１３】
即ちトラス状体２は、例えば直径４乃至６ｍｍの鉄筋を折り曲げて、倒立した２等辺三角形状の逆三角形状部２ａを複数個、等間隔に且つ同一平面上となるように配置して、これら逆三角形状部２ａの下端部において順次つながった一筆書き状に形成されている。
【００１４】
前記逆三角形状部２ａを構成する左右の２辺２ａａ、２ａｂは、該逆三角形状部２ａの下端部２ａｄにおいて互いに交叉する構造に形成されている。
【００１５】
又、前記トラス状体２における各逆三角形状部２ａのピッチ間隔を該三角形状部２ａの上辺２ａｃの長さの約１．４倍程度に形成している。
【００１６】
図３は間隔保持金具１の正面図を示し、該間隔保持金具１は２組のトラス状体２を前記逆三角形状部２ａの上辺２ａｃの長さの０．７倍程度、前後にずらすと共に互いに上辺２ａｃを相互に当接させて逆Ｖ字状になるように配置し、これら上辺２ａｃの互いに当接した部分、及び前記逆三角形状部２ａの下端部２ａｄの鉄筋が交叉した部分を溶接により互いに結着するようにした。
【００１７】
尚、前記２組のトラス状体２の各上辺２ａｃが互いに相手の上辺２ａｃと重なる当接部分の長さは各上辺の長さの０．３倍宛となる。
【００１８】
又、図３に示す間隔保持金具１の幅Ｗは４０乃至１００ｍｍに、又、高さＨは７０乃至３００ｍｍに作られることが多く、これらは鉄筋コンクリート床の必要な厚み及び必要強度に応じて選択される。
【００１９】
次に本発明の間隔保持金具１の用法及びその利点について説明する。
【００２０】
本間隔保持金具１は鉄骨鉄筋構造の床や壁等の間隔取り用鉄筋として床面に敷設するデッキプレートやメッシュ筋と組み合わせて、又は補強筋として単独で使用される。
【００２１】
従来の間隔保持金具が少なくとも５本の鉄筋を組み合わせて形成されていたのに対し、本発明の間隔保持金具１は、わずか２本の鉄筋で従来と同等の剛性が得られるので、鉄筋の加工工数が低減し、又、使用する鉄筋も少なくてすむので、鉄筋コンクリート建造物のコストが低減する。
【００２２】
尚、本実施の形態では、間隔保持金具１を構成する２組のトラス状体２、２に形成されている各逆三角形状部２ａの上辺２ａｃが、互いに相手側の上辺２ａｃと重なり合う当接部長さを該上辺２ａｃの長さの０．３倍となるようにしたが、これは０．３倍以外の値としてもよい。
【００２３】
本発明の第２の実施の形態を図４により説明する。
【００２４】
図４は、本実施の形態におけるトラス状体３の平面図を示す。
【００２５】
本実施の形態の鉄筋コンクリート製仕切部材用間隔保持金具４（図示せず）は、前記第１の実施の形態における逆三角形状部２ａの代りに四辺形状部３ａを用いるようにした点が前記第１の実施の形態とは異なる。
【００２６】
即ち、トラス状体３は、鉄筋を折り曲げて上辺３ａａが下辺３ａｂよりも長い梯形状の四辺形状部３ａを複数個、等間隔に且つ同一平面上となるように配置して、各四辺形状部３ａが下辺３ａｂにおいて順次つながった一筆書き状に形成されている。
【００２７】
又、本実施の形態においても２組のトラス状体３を各上辺３ａａが互いに相手の上辺３ａａと重なる当接部分の長さを各上辺３ａａの長さの０．３倍程度となるように当接させて図３に示す如き逆Ｖ字形に配置し、各鉄筋の互いに当接する部分及び互いに交叉する部分を溶接により結着して間隔保持金具４に形成した。
【００２８】
本間隔保持金具４は、前記第１の実施の形態におけるのと同様の用法及び利点を有する。
【００２９】
本発明の第３の実施の形態を図５により説明する。
【００３０】
図５は、本実施の形態におけるトラス状体５の平面図を示す。
【００３１】
該トラス状体５は、鉄筋を折り曲げて形成した逆三角形状部５ａを複数個、各上辺５ａｃが順次連ながるようなピッチで等間隔に配置して有しており、こうして形成されたトラス状体５の２組を上辺５ａｃにおいて互いに当接させると共に下方部は間隔を有するように広げて逆Ｖ字形に配置し、これらトラス状体５の上辺５ａｃが互いに当接する部分、及び前記トラス状体５の下端部５ａｄの鉄筋が交叉した部分を溶接により互いに結着して、本実施の形態の間隔保持金具６を形成している。
【００３２】
本実施の形態は、前記第１の実施の形態における間隔保持金具２と同様に使用でき、しかもトラス状体を形成する逆三角形状部のピッチが小さいので、前記第１の実施の形態よりも荷重の負荷能力が大となる特徴を有している。
【００３３】
尚、トラス状体は必要に応じて前記実施の形態の三角形状又は四角形状以外の六角形状等いずれの形状でもよく、又、２組のトラス状体の組合せ以外に必要に応じて３組等のトラス状体の組合せにしてもよい。
【００３４】
【発明の効果】
このように本発明によれば、少ない数量の鉄筋を用いて剛性の高い間隔保持金具が得られるので、加工工数の低減と鉄筋の重量減少が図られ、鉄筋コンクリート建造物のコストが低減する効果を有する。
【図面の簡単な説明】
【図１】本発明の第１の実施の形態の間隔保持金具の斜視図である。
【図２】前記間隔保持金具の一部トラス状体の平面図である。
【図３】図１に示す間隔保持金具の正面図である。
【図４】本発明の第２の実施の形態の間隔保持金具の一部トラス状体の平面図である。
【図５】本発明の第３の実施の形態の間隔保持金具の一部トラス状体の平面図である。
【図６】従来の鉄骨鉄筋構造の床の構造を示す説明図である。
【図７】従来の間隔保持金具の斜視図である。
【符号の説明】
１、４、６　間隔保持金具
２、３、５　トラス状体
２ａ、５ａ　逆三角形状部
３ａ　　　　四辺形状部
【図１】
2004036292.tif 000003
【図２】
2004036292.tif 000004
【図３】
2004036292.tif 000005
【図４】
2004036292.tif 000006
【図５】
2004036292.tif 000007
【図６】
2004036292.tif 000008
【図７】
2004036292.tif 000009